(57)【特許請求の範囲】
【請求項１】
映像ストリームを順次取得する映像取得部と、
前記映像ストリームの少なくとも一部をそれぞれ記憶する複数の記憶媒体のうち、記憶先となる所定の記憶媒体に記憶可能な容量の残量が所定の容量以下になると、前記映像ストリームの記憶先を切り換える記憶切換部と、
前記映像ストリームから所定の条件を満たすダイジェストシーンを検出し、前記ダイジェストシーンに対応するダイジェストデータを抽出するダイジェスト抽出部と、
切換先の前記記憶媒体にそれぞれ記憶された映像ストリームに関して抽出された前記ダイジェストデータを、前記所定の記憶媒体に記憶させる記憶制御部と、
を備え、
前記所定の容量は、前記切換先の記憶媒体の残り記憶容量に、予め定められた係数を乗算して求められることを特徴とする映像記憶装置。
【請求項２】
コンピュータと、映像ストリームの少なくとも一部をそれぞれ記憶する複数の記憶媒体とを用いた映像記憶制御方法であって、
前記コンピュータが、
前記映像ストリームを取得し、
前記複数の記憶媒体のうち、前記映像ストリームの記憶先となる所定の記憶媒体に記憶可能な容量の残量が、切換先の記憶媒体の残り記憶容量に、予め定められた係数を乗算して求められる所定の容量以下になると、前記映像ストリームの記憶先を前記切換先の記憶媒体に切り換え、
前記映像ストリームから所定の条件を満たすダイジェストシーンを検出し、前記ダイジェストシーンに対応するダイジェストデータを抽出し、
前記切換先の前記記憶媒体にそれぞれ記憶された映像ストリームに関して抽出された前記ダイジェストデータを、前記所定の記憶媒体に記憶させることを特徴とする映像記憶制御方法。
【発明の詳細な説明】
【技術分野】
【０００１】
本発明は、映像ストリームを複数の記憶媒体に跨って記憶することが可能な映像記憶装置および映像記憶制御方法に関する。
【背景技術】
【０００２】
従来から、映像データを記憶媒体に記憶する際、１つの記憶媒体では容量が足りずに複数の記憶媒体に跨ることがあった。この場合、後に、ユーザが、複数の記憶媒体のうち、いずれか１つの記憶媒体に記憶された映像データを再生しても、再生している映像データの前や後に撮像された映像データの有無や概要を把握することはできなかった。
【０００３】
そこで、第１記憶部に記憶されたコンテンツを、複数のディスク記憶媒体に連続して記憶する場合に、あるディスク記憶媒体の最後に記憶されたデータを、次のディスク記憶媒体の最初にも再度記憶する技術が提案されている（例えば、特許文献１）。また、映像データを分割記憶させる複数の記憶媒体のうち、１つの記憶媒体には、映像データと、その前または後に繋がる映像データとを用いて生成された代表画像とを記憶させる技術が提案されている（例えば、特許文献２）。
【先行技術文献】
【特許文献】
【０００４】
【特許文献１】特開２００９−２２４００６号公報
【特許文献２】特開２００６−２９４１６４号公報
【発明の概要】
【発明が解決しようとする課題】
【０００５】
しかし、上述した特許文献１、２の技術は、大容量の記憶媒体に一旦保持させた映像データを事後的に分割して、複数の記憶媒体にそれぞれ記憶させる場合に用いることはできるが、撮像中、記憶媒体の記憶容量を超える前に、それを察知し、複数の記憶媒体に跨って、リアルタイムに取得された映像ストリームを分割記憶させる構成においては適用できない。
【０００６】
そこで本発明は、このような課題に鑑み、映像ストリームの取得と並行して、分割された映像ストリームの関係を表すダイジェストデータを生成可能な、映像記憶装置および映像記憶制御方法を提供することを目的としている。
【課題を解決するための手段】
【０００７】
上記課題を解決するために、本発明の映像記憶装置（１００）は、映像ストリームを順次取得する映像取得部と、前記映像ストリームの少なくとも一部をそれぞれ記憶する複数の記憶媒体（１７０）のうち、記憶先となる所定の記憶媒体（１７０ａ）に記憶可能な容量の残量が所定の容量以下になると、前記映像ストリームの記憶先を切り換える記憶切換部（１８０）と、前記映像ストリームから所定の条件を満たすダイジェストシーンを検出し、前記ダイジェストシーンに対応するダイジェストデータを抽出するダイジェスト抽出部（１３８）と、切換先の前記記憶媒体（１７０ｂ）に記憶された映像ストリームに関して抽出された前記ダイジェストデータを、前記所定の記憶媒体（１７０ａ）に記憶させる記憶制御部（１８２）とを備え、前記所定の容量は、前記切換先の記憶媒体の残り記憶容量に、予め定められた係数を乗算して求められることを特徴とする。
【００１２】
上記課題を解決するために、コンピュータと、映像ストリームの少なくとも一部をそれぞれ記憶する複数の記憶媒体とを用いた本発明の映像記憶制御方法は、前記コンピュータが、前記映像ストリームを取得し、前記複数の記憶媒体のうち、前記映像ストリームの記憶先となる所定の記憶媒体（１７０ａ）に記憶可能な容量の残量が、切換先の記憶媒体の残り記憶容量に、予め定められた係数を乗算して求められる所定の容量以下になると、前記映像ストリームの記憶先を前記切換先の記憶媒体に切り換え、前記映像ストリームから所定の条件を満たすダイジェストシーンを検出し、前記ダイジェストシーンに対応するダイジェストデータを抽出し、前記切換先の前記記憶媒体（１７０ｂ）に記憶された映像ストリームに関して抽出された前記ダイジェストデータを、前記所定の記憶媒体（１７０ａ）に記憶させることを特徴とする。
【発明の効果】
【００１３】
以上説明したように本発明は、映像ストリームの取得と並行して、分割された映像ストリームの関係を表すダイジェストデータを生成可能となる。
【図面の簡単な説明】
【００１４】
【図１】映像記憶装置の概略的な構成を示した機能ブロック図である。
【図２】映像記憶制御方法の処理の流れを示すフローチャートである。
【図３】接続判定に基づく記憶処理を説明するための説明図である。
【図４】複数の記憶媒体に相互にダイジェストデータを記憶させる処理を説明するための説明図である。
【図５】映像再生装置の概略的な構成を示した機能ブロック図である。
【発明を実施するための形態】
【００１５】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
（映像記憶装置１００）
図１は、映像記憶装置１００の概略的な構成を示した機能ブロック図である。映像記憶装置１００は、操作部１２０と、撮像部１２２と、データ処理部１２４と、マイク１２６と、バッファ部１２８と、表示部１３０と、スピーカ１３２と、圧縮伸長部１３４と、記憶読取部１３６（図１における１３６ａ、１３６ｂ）と、複数の記憶媒体１７０（図１における１７０ａ、１７０ｂ）と、ダイジェスト抽出部１３８と、中央制御部１４０とを含んで構成される。
【００１７】
本実施形態において、映像記憶装置１００は、撮像部１２２を備える撮像装置を例に挙げて説明するが、電波やインターネットを経由して放送された映像ストリームを順次（リアルタイムに）取得して記憶する、例えば、放送された映像ストリームを記憶する据え置き型のＨＤＤ（Hard Disk Drive）レコーダやビデオレコーダ等であってもよい。
【００１８】
操作部１２０は、レリーズスイッチを含む操作キー、十字キー、ジョイスティック等で構成され、ユーザの操作入力を受け付ける。また、後述する表示部１３０の表示面にタッチパネルを配し、操作部１２０としてもよい。
【００１９】
撮像部１２２は、映像取得部として機能し、撮像レンズ１５０と、画角変更に用いられるズームレンズ１５２、焦点調整に用いられるフォーカスレンズ１５４と、露光調整に用いられるアイリス（絞り）１５６と、撮像レンズ１５０を通じて入射した光束を映像ストリームに光電変換する撮像素子１５８と、中央制御部１４０の制御信号に応じて、ズームレンズ１５２、フォーカスレンズ１５４、およびアイリス１５６をそれぞれ駆動させる駆動部１６０とを含んで構成され、被写体を撮像して映像ストリームを生成してデータ処理部１２４に出力する。
【００２０】
データ処理部１２４は、撮像部１２２から出力された映像ストリームに所定の処理を施し、処理後の映像ストリームをバッファ部１２８に出力する。マイク１２６は、音声等の空気振動を音声ストリームに変換し、バッファ部１２８に出力する。
【００２１】
バッファ部１２８は、ＲＡＭ（Random Access Memory）、フラッシュメモリ、ＨＤＤ等で構成される。表示部１３０は、液晶ディスプレイ、有機ＥＬ(Electro Luminescence)ディスプレイ等で構成される。スピーカ１３２は、音声ストリームを音声として出力する。
【００２２】
圧縮伸長部１３４は、バッファ部１２８に保持された映像ストリームおよび音声ストリームをそれぞれ所定の符号化方式で符号化し統合して符号化データストリームを生成する。また、圧縮伸長部１３４は、記憶読取部１３６が記憶媒体１７０から読み取った符号化データストリームを復号し、映像ストリームと音声ストリームに分離してバッファ部１２８に出力する。
【００２３】
複数の記憶読取部１３６は、圧縮伸長部１３４が生成した符号化データストリームを、接続された記憶媒体１７０に記憶させる。また、記憶読取部１３６は、符号化データストリームが記憶された記憶媒体１７０から符号化データストリームを読み取り、圧縮伸長部１３４に出力する。
【００２４】
複数の記憶媒体１７０は、ＤＶＤやＢＤ（Blu-ray Disc）といった光ディスク媒体や、ＲＡＭ、ＥＥＰＲＯＭ、不揮発性ＲＡＭ、フラッシュメモリ、ＨＤＤ等の媒体で構成され、可換型であって、符号化データストリームの少なくとも一部をそれぞれ記憶する。ここで、複数の記憶媒体１７０はそれぞれ着脱可能である。
【００２５】
記憶読取部１３６ａ、１３６ｂのいずれか一方に記憶媒体１７０が接続されている場合、接続されている方の記憶読取部１３６が記憶処理に用いられる。記憶読取部１３６ａ、１３６ｂの両方に記憶媒体１７０が接続されている場合、記憶読取部１３６ａ、１３６ｂのいずれか一方が優先的に記憶処理に用いられるように予め設定されている。この設定はユーザが事後的に変更できる。
【００２６】
ダイジェスト抽出部１３８は、映像ストリームおよび音声ストリームから所定の条件を満たすダイジェストシーンを検出し、ダイジェストシーンに対応するダイジェストデータを抽出する。
【００２７】
中央制御部１４０は、中央処理装置（ＣＰＵ）、プログラム等が格納されたＲＯＭ、ワークエリアとしてのＲＡＭ等を含む半導体集積回路により、映像記憶装置１００全体を管理および制御する。また、中央制御部１４０は、記憶切換部１８０と、記憶制御部１８２、接続判定部１８４としても機能する。
【００２８】
記憶切換部１８０は、複数の記憶媒体１７０ａ、１７０ｂのうちの記憶先となる所定の記憶媒体１７０ａ（以下、単に記憶媒体１７０ａと称す）の残り記憶容量に基づいて、符号化データストリームの記憶先を切り換える。
【００２９】
記憶制御部１８２は、切換先の記憶媒体１７０ｂ（以下、単に記憶媒体１７０ｂと称す）に記憶された符号化データストリームに関して抽出されたダイジェストデータを、記憶媒体１７０ａに記憶させる。接続判定部１８４は、記憶媒体１７０ａが映像記憶装置１００に接続されているか否かを判定する。
【００３０】
（映像記憶制御処理）
続いて、上述した映像記憶装置１００を用いた映像記憶制御処理（方法）について説明する。図２は、映像記憶制御方法の処理の流れを示すフローチャートである。以下の説明では、予め記憶媒体１７０ａ、１７０ｂが記憶読取部１３６ａ、１３６ｂに接続されており、記憶媒体１７０ｂより先に記憶媒体１７０ａに対する記憶処理が行われているとする。
【００３１】
（ストリーム取得処理）
操作部１２０を通じて、撮像（記憶も含む）を実行するユーザ入力があると（Ｓ３００におけるＹＥＳ）、撮像部１２２は、被写体を撮像して映像ストリームを生成してデータ処理部１２４に出力する。データ処理部１２４は、撮像部１２２から出力された映像ストリームに、ホワイトバランス調節、ノイズ軽減処理、レベル補正処理、Ａ／Ｄ変換処理および色彩補正処理（ガンマ補正処理、ニー処理）等の所定の処理を施し、処理後の映像ストリームをバッファ部１２８に出力する。マイク１２６は、音声等の空気振動を音声ストリームに変換し、バッファ部１２８に出力する（Ｓ３０２）。
【００３２】
バッファ部１２８は、データ処理部１２４から入力された映像ストリームを一時的に保持する。また、バッファ部１２８は、マイク１２６から入力された音声ストリームを一時的に保持する（Ｓ３０４）。
【００３３】
表示部１３０は、データ処理部１２４および圧縮伸長部１３４が出力しバッファ部１２８に保持された映像ストリームを表示したり、操作部１２０と連動した指示項目や動作状態をＯＳＤ（On Screen Display）等で表示したりする。また、動作状態は、ＬＥＤ等の簡易な機構で点灯表示してもよい。
【００３４】
（ストリーム符号化処理）
圧縮伸長部１３４は、データ処理部１２４から出力されバッファ部１２８に保持された映像ストリームを、Ｍ−ＪＰＥＧ（モーションJPEG）やＭＰＥＧ（Moving Picture Experts Group）−２、Ｈ．２６４等の所定の符号化方式で符号化する。また、圧縮伸長部１３４は、マイク１２６から出力されバッファ部１２８に保持された音声ストリームを、ＭＰ３、ＡＡＣ、Ｏｇｇ  Ｖｏｒｂｉｓ等の音声符号化方式で符号化する。そして、圧縮伸長部１３４は、符号化した映像ストリームと音声ストリームとを同期させて統合し、符号化データストリームを生成して記憶読取部１３６に出力する（Ｓ３０６）。
【００３５】
（ストリーム記憶処理）
記憶読取部１３６は、圧縮伸長部１３４が生成した符号化データストリームを、例えば、ＦＡＴやＵＤＦ等のファイル保存形式を用いて、接続された記憶媒体１７０ａに記憶させる（Ｓ３０８）。本実施形態において、映像記憶装置１００は、記憶読取部１３６ａ、１３６ｂの２つを備え、複数の記憶媒体１７０ａ、１７０ｂを接続できる構成とするが、かかる場合に限定されず、記憶読取部１３６および記憶媒体１７０をそれぞれ３つ以上備える構成としてもよい。
【００３６】
また、記憶媒体１７０ｂは最初から接続されている場合に限らず、符号化データストリームを記憶媒体１７０ａに記憶中、事後的に、記憶媒体１７０ｂを接続するとしてもよい。さらに、２つの記憶読取部１３６ａ、１３６ｂに対して、３つ以上の記憶媒体１７０を交互に入れ替えながら用いてもよい。３つ以上の記憶媒体１７０を用いる例については後に詳述する。
【００３７】
そして、記憶制御部１８２は、符号化データストリームの記憶媒体１７０ａへの記憶開始時および記憶中、圧縮伸長部１３４からの符号化に関する設定情報およびユーザによる設定パラメータに基づいて、ストリーム管理情報を作成し、符号化データストリームのファイルの一部または別ファイルとして、そのストリーム管理情報を記憶媒体１７０ａに記憶させる（Ｓ３１０）。
【００３８】
ここで、ストリーム管理情報には、シーン（ファイル）数、各シーンの名称、再生開始時間および再生終了時間、再生順等が含まれる。
【００３９】
（記憶先切換処理）
記憶切換部１８０は、複数の記憶媒体１７０ａ、１７０ｂのうちの記憶先となる記憶媒体１７０ａの残り記憶容量に基づいて、例えば、残りの記憶容量が少なくなると、符号化データストリームの記憶先を切り換え、記憶媒体１７０ｂへの符号化データストリームの記憶を開始する。
【００４０】
まず、記憶切換部１８０は、記憶媒体１７０ａに記憶可能な容量の残量が所定の容量以下であるか否かを判定する（Ｓ３１２）。所定の容量以下でない場合（Ｓ３１２におけるＮＯ）、撮像判定ステップＳ３００に戻って、そのまま同じ記憶媒体１７０ａへの記憶処理を続ける。所定の容量以下である場合（Ｓ３１２におけるＹＥＳ）、記憶切換部１８０は、符号化データストリームの記憶先を記憶媒体１７０ａから記憶媒体１７０ｂに切り換える（Ｓ３１４）。
【００４１】
かかる構成により、記憶切換部１８０は、記憶媒体１７０ａに、記憶媒体１７０ｂに記憶された符号化データストリームのダイジェストデータを記憶させるのに十分な記憶容量を残して、後から、そのダイジェストデータを確実に記憶させることができる。
【００４２】
ここで、所定の容量は、記憶媒体１７０ｂの残り記憶容量に、予め定められた係数（例えば、５％）を乗算して求める。
【００４３】
かかる構成により、記憶切換部１８０は、記憶媒体１７０ｂの残り記憶容量が異なる場合であっても、その残り記憶容量に対して常に所定の割合（例えば、５％）分だけ、ダイジェストデータを記憶させる記憶容量を残すことができる。そのため、記憶切換部１８０は、予め定められた係数を適切な値に設定しておくことで、ダイジェストデータが短すぎたり長すぎたりせず、適切な長さのダイジェストデータを記憶媒体１７０ａに記憶させることが可能となる。
【００４４】
記憶制御部１８２は、記憶読取部１３６ａに符号化データストリームのファイルのクローズ処理を行わせる。また、記憶制御部１８２は、記憶読取部１３６ａを制御し、上述したように、ストリーム管理情報をクローズ処理の前にそのファイルに追記させるか、または別ファイルとして記憶させる。
【００４５】
（識別子記憶処理）
記憶切換部１８０が、符号化データストリームの記憶先を記憶媒体１７０ａから記憶媒体１７０ｂに切り換えた後、記憶制御部１８２は、記憶媒体１７０ａに対して、符号化データストリームに続きがあること（次に再生すべき符号化データストリームがあること）を示すフラグ情報と、その続きの符号化データストリームが記憶されている記憶媒体１７０ｂを識別する識別子とを、ストリーム管理情報に追記させる。加えて、記憶制御部１８２は、記憶媒体１７０ｂに、符号化データストリームに前編があること（事前に再生すべき符号化データストリームがあること）を示すフラグ情報と、その前編の符号化データストリームが記憶されている記憶媒体１７０ａを識別する識別子とをストリーム管理情報に追記させる（Ｓ３１６）。
【００４６】
そして、上述した記憶媒体１７０ａに関する、ストリーム出力ステップＳ３０２から管理情報記憶ステップＳ３１０と同様、記憶媒体１７０ｂに関して、ストリーム出力（Ｓ３１８）、一時保持（Ｓ３２０）、符号化（Ｓ３２２）、ストリーム記憶（Ｓ３２４）、管理情報記憶（Ｓ３２６）の処理を行う。
【００４７】
（ダイジェストデータ抽出処理）
ダイジェスト抽出部１３８は、映像ストリームおよび音声ストリームから所定の条件を満たすダイジェストシーンが検出されたか否かを判定する（Ｓ３２８）。検出されると（Ｓ３２８におけるＹＥＳ）、ダイジェスト抽出部１３８は、そのダイジェストシーンに対応するダイジェストデータを抽出する（Ｓ３３０）。本実施形態において、このダイジェストデータの抽出処理は、具体的に、ダイジェストシーンを特定する時間情報を取得し、そのダイジェストシーンが検出された記憶媒体１７０ｂのストリーム管理情報として記憶させる処理である。
【００４８】
ここで、所定の条件は、例えば、映像ストリームから顔が検出されることであったり、音声ストリームから歓声と見なす音声が検出されることであったりする。前者の場合、ダイジェスト抽出部１３８は、顔検出部として機能し、映像ストリームから人の顔を検出する顔検出処理を行う。また、ダイジェスト抽出部１３８は、顔認証部として機能し、検出された顔と予め登録された登録顔との顔認証処理を行い、検出された顔が登録顔と同一人物と見なされることを所定条件としてもよい。後者の場合、ダイジェスト抽出部１３８は、音声分析を行い、例えば、音声ストリームに、所定音圧、所定周波数以上の音声が含まれると、その音声を歓声と見なして検出することとする。
【００４９】
（ダイジェストデータ記憶処理）
記憶制御部１８２は、記憶媒体１７０ｂに記憶された符号化データストリームに関して抽出されたダイジェストデータを、記憶媒体１７０ａに記憶させる（Ｓ３３２）。具体的に、記憶制御部１８２は、記憶媒体１７０ｂに保持された、ダイジェストシーンを特定する時間情報に基づいて、例えば、その時間情報に示される時間を開始時間とした、所定の容量に相当するデータ量分、または所定時間長のダイジェストデータを、記憶読取部１３６ｂおよび圧縮伸長部１３４を通じて記憶媒体１７０ｂから取得する。そして、記憶制御部１８２は、取得したダイジェストデータを記憶媒体１７０ａに記憶させる。
【００５０】
（終了判定処理）
そして、中央制御部１４０は、撮像停止のユーザ入力があるか否かを判定する（Ｓ３３４）。撮像停止のユーザ入力がない場合（Ｓ３３４におけるＮＯ）、ストリーム出力ステップＳ３１８に戻る。撮像停止のユーザ入力があると（Ｓ３３４におけるＹＥＳ）、記憶制御部１８２は、記憶媒体１７０ｂに符号化データストリームのファイルのクローズ処理を行わせる。また、記憶制御部１８２は、記憶読取部１３６ａを制御し、上述したように、ストリーム管理情報をそのファイルに追記させるか、または別ファイルとして記憶させる。
【００５１】
（ダイジェストデータ記憶停止および再開処理）
図３は、接続判定に基づく記憶処理を説明するための説明図である。図３（ａ）に示すように、記憶媒体１７０ａに符号化データストリームＡが記憶され、残り記憶容量が所定の容量以下になった後、記憶媒体１７０ｂにその続きの符号化データストリームＢの記憶処理が開始されたとする。このとき、記憶媒体１７０ｂに符号化データストリームを記憶中に、まだダイジェストデータが抽出されない等の理由により記憶媒体１７０ａにダイジェストデータが記憶されないうちに、図３（ｂ）に示すように、記憶媒体１７０ａの映像記憶装置１００への接続が解除されると、そのままでは、記憶媒体１７０ａにダイジェストデータが記憶されないままとなってしまう。
【００５２】
そこで、記憶制御部１８２は、上述したように、記憶媒体１７０ｂに記憶された符号化データストリームに関するダイジェストデータを記憶媒体１７０ａに記憶する前に、記憶媒体１７０ｂを識別する識別子を記憶媒体１７０ａに記憶しておく。
【００５３】
そして、記憶媒体１７０ａにダイジェストデータが記憶される際、接続判定部１８４が、映像記憶装置１００に記憶媒体１７０ａが接続されていないと判定すると、記憶媒体１７０ｂに記憶された符号化データストリームに関するダイジェストデータの記憶を停止する。このとき、上述したように、記憶媒体１７０ｂには、ダイジェストシーンを特定する時間情報が記憶されている。
【００５４】
その後、図３（ｃ）に示すように、接続判定部１８４が、改めて映像記憶装置１００に記憶媒体１７０ａが接続されていると判定すると、記憶制御部１８２は、図３（ｄ）に示すように、記憶媒体１７０ａに記憶された識別子を参照する。そして、接続されているもう一つの記憶媒体１７０ｂがその識別子で特定される記憶媒体１７０ｂである場合、その記憶媒体１７０ｂに記憶された時間情報を参照し、符号化データストリームＢに関するダイジェストデータＢを取得し、記憶媒体１７０ａに記憶させる。
【００５５】
かかるダイジェストデータの記憶を停止し、後に識別子に基づいて再開する構成により、記憶制御部１８２は、ダイジェストデータを確実に記憶媒体１７０ａに記憶させることが可能となる。
【００５６】
（ダイジェストデータ相互記憶処理）
図４は、複数の記憶媒体に相互にダイジェストデータを記憶させる処理を説明するための説明図である。上述したように、記憶制御部１８２は、記憶媒体１７０ｂに記憶された符号化データストリームＢに関して抽出されたダイジェストデータＢを、記憶媒体１７０ａに記憶させる。その上、さらに、図４に示すように、記憶制御部１８２は、記憶媒体１７０ａに記憶された符号化データストリームＡに関して抽出されたダイジェストデータＡを、記憶媒体１７０ｂに記憶させる。
【００５７】
この場合、記憶媒体１７０ａに対する記憶処理中、ダイジェスト抽出部１３８がダイジェストデータを抽出すると、記憶制御部１８２は、そのダイジェストデータを特定する時間情報を記憶媒体１７０ａのストリーム管理情報に追記する。そして、記憶媒体１７０ｂに対する記憶処理が開始すると（記憶媒体１７０ｂへの記憶処理が確定すると）、記憶制御部１８２は、記憶媒体１７０ａのストリーム管理情報に追記された時間情報を参照し、記憶媒体１７０ａに記憶された符号化データストリームから、ダイジェストデータを抽出して、記憶媒体１７０ｂに記憶させる。
【００５８】
かかる構成により、ユーザは、記憶媒体１７０ｂを再生して視覚的に確認するだけで、記憶媒体１７０ａに記憶された符号化データストリームの有無やコンテンツの概要を把握することが可能となる。
【００５９】
（３つ以上の記憶媒体１７０への記憶処理）
また、映像記憶装置１００は、２つの記憶読取部１３６ａ、１３６ｂに対して、３つ以上の記憶媒体１７０を用いることもできる。例えば、複数の記憶媒体１７０ａ、１７０ｂ、１７０ｃ、１７０ｄを用いる場合、符号化データストリームを記憶媒体１７０ｂに記憶中、符号化データストリームの記憶処理を終えた記憶媒体１７０ａの代わりに記憶媒体１７０ｃを接続し、記憶媒体１７０ｂに続いて、記憶媒体１７０ｃに符号化データストリームを記憶する。同様に、符号化データストリームを記憶媒体１７０ｃに記憶中、符号化データストリームの記憶処理を終えた記憶媒体１７０ｂの代わりに記憶媒体１７０ｄを接続し、記憶媒体１７０ｃに続いて、記憶媒体１７０ｄに符号化データストリームを記憶する。
【００６０】
この場合、ダイジェスト抽出部１３８がダイジェストデータを抽出した際、時間情報ではなくダイジェストデータ自体を、そのダイジェストデータの元となる符号化データストリームが記憶された記憶媒体１７０を識別する識別子と関連付けてバッファ部１２８に保持させる。例えば、記憶媒体１７０ａについてのダイジェストデータがバッファ部１２８に保持された場合、記憶制御部１８２は、そのダイジェストデータを、記憶媒体１７０ａへの記憶処理以降、連続して接続された記憶媒体１７０ｂ、１７０ｃ、１７０ｄに記憶させる。
【００６１】
そのため、符号化データストリームの記憶処理を終えた記憶媒体１７０を即座に新しい記憶媒体１７０に切り換えるとすると、記憶媒体１７０ａにはダイジェストデータが記憶されず、記憶媒体１７０ｂには、記憶媒体１７０ａに記憶された符号化データストリームのダイジェストデータが、記憶媒体１７０ｃには、記憶媒体１７０ａ、１７０ｂに記憶された符号化データストリームのダイジェストデータが、記憶媒体１７０ｄには、記憶媒体１７０ａ、１７０ｂ、１７０ｃに記憶された符号化データストリームのダイジェストデータが、それぞれ記憶される。
【００６２】
そして、一連の符号化データストリームの記憶が終了した後、事後的に、記憶媒体１７０ａが接続されると、記憶制御部１８２は、まだ記憶されていなかった、記憶媒体１７０ｂ、１７０ｃ、１７０ｄに記憶された符号化データストリームのダイジェストデータを追記させる。同様に、記憶制御部１８２は、記憶媒体１７０ｂが接続されると、記憶媒体１７０ｃ、１７０ｄに記憶された符号化データストリームのダイジェストデータを、記憶媒体１７０ｃが接続されると、記憶媒体１７０ｄに記憶された符号化データストリームのダイジェストデータを、それぞれ追記させる。
【００６３】
このように、事後的にダイジェストデータを追記するため、記憶制御部１８２は、それぞれの記憶媒体１７０ａ、１７０ｂ、１７０ｃ、１７０ｄに、互いが一連の符号化データストリームを記憶していることを示す共通識別子と、自体が何番目に記憶処理された記憶媒体１７０であるかを示す通し番号とを記憶させる。また、ダイジェスト抽出部１３８は、バッファ部１２８に保持させるダイジェストデータに、共通識別子と、そのダイジェストデータの元となる符号化データストリームが記憶された記憶媒体１７０の通し番号とを関連付けておく。
【００６４】
また、この３つ以上の記憶媒体１７０への記憶処理では、符号データストリームの記憶先の記憶媒体１７０を切り換える所定の容量は、例えば、予めユーザ入力で指定された時間長のダイジェストデータに相当するデータ量分とする。
【００６５】
上述したように、本実施形態の映像記憶装置１００は、複数の記憶媒体１７０ａ、１７０ｂに跨って、リアルタイムに取得された映像ストリームを記憶させる構成において、複数の記憶媒体１７０ａ、１７０ｂのうち、記憶媒体１７０ａに、他の記憶媒体１７０ｂに記憶された符号化データストリームのダイジェストデータを記憶させる。そのため、ユーザは、記憶媒体１７０ａを再生して視覚的に確認するだけで、他の記憶媒体１７０ｂに記憶された符号化データストリームの有無やコンテンツの概要を把握することが可能となる。
【００６６】
（映像再生装置４００）
図５は、映像再生装置４００の概略的な構成を示した機能ブロック図である。映像再生装置４００は、操作部４２０と、複数の読取部４２２（図５における４２２ａ、４２２ｂ）と、伸長部４２４と、バッファ部４２６と、外部出力部４２８と、中央制御部４３０と、を含んで構成される。
【００６７】
操作部４２０は、レリーズスイッチを含む操作キー、十字キー、ジョイスティック等で構成され、ユーザの操作入力を受け付ける。複数の記憶媒体１７０ａ、１７０ｂには、上述したように、映像記憶装置１００によって符号化データストリームと、ダイジェストデータが記憶されている。
【００６８】
読取部４２２は、接続された記憶媒体１７０に記憶された符号化データストリームやダイジェストデータを読み取り、伸長部４２４に出力する。伸長部４２４は、読取部４２２が読み取った符号化データストリームを復号し、映像ストリームと音声ストリームに分離してバッファ部４２６に出力する。
【００６９】
バッファ部４２６は、ＲＡＭ、フラッシュメモリ、ＨＤＤ等で構成され、映像ストリームおよび音声ストリームを一時的に保持する。外部出力部４２８は、バッファ部４２６に保持された映像ストリームおよび音声ストリームを、映像の表示や音声の出力を行う映像表示装置５００に出力する。
【００７０】
中央制御部４３０は、中央処理装置（ＣＰＵ）、プログラム等が格納されたＲＯＭ、ワークエリアとしてのＲＡＭ等を含む半導体集積回路により、映像再生装置４００全体を管理および制御する。また、中央制御部４３０は、再生制御部４５０としても機能する。
【００７１】
再生制御部４５０は、読取部４２２ａに接続された記憶媒体１７０ａに、符号化データストリームに続きがあることを示すフラグ情報と、その続きの符号化データストリームが記憶されている記憶媒体１７０ｂを識別する識別子とが、ストリーム管理情報として記憶されているか否かを判定する。
【００７２】
記憶されていて、読取部４２２ｂに記憶媒体１７０ｂが接続されている場合、再生制御部４５０は、記憶媒体１７０ａに記憶された符号化データストリームの再生（読取から出力まで）を終えた際、読取部４２２ｂに、連続して、記憶媒体１７０ｂから符号化データストリームを読み取らせる。
【００７３】
また、フラグ情報と記憶媒体１７０ｂを示す識別子とが記憶されているものの、読取部４２２ｂに記憶媒体１７０ｂが接続されていない場合、再生制御部４５０は、記憶媒体１７０ａに記憶された、記憶媒体１７０ｂの符号化データストリームに対応するダイジェストデータを再生させる。
【００７４】
このように、本実施形態の映像再生装置４００によれば、符号化データストリームが複数の記憶媒体１７０ａ、１７０ｂに跨って記憶されていても、記憶先の切り換え時に、次の記憶媒体１７０ｂが接続されていれば、映像を途切れさせることなくスムーズに表示させることができる。また、次の記憶媒体１７０ｂが接続されていない場合、ユーザは、次の記憶媒体１７０ｂが有ることおよびその映像の概要を、ダイジェストデータを視聴して確認できる。
【００７５】
さらに、再生制御部４５０は、例えば、記憶媒体１７０ａに記憶された符号化データストリームの再生が終了する所定時間前から、ＰｉｎＰ等でダイジェストデータを表示させてもよい。また、３つ以上の記憶媒体１７０に跨って符号化データストリームが記憶されている場合、そのうちの１つの記憶媒体１７０の再生開始時、再生制御部４５０は、例えば、チャプタ選択画面のように、ダイジェストデータの選択画面を表示させてもよい。
【００７６】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００７７】
なお、本明細書の映像記憶制御方法における各工程は、必ずしもフローチャートとして記載された順序に沿って時系列に処理する必要はなく、並列的あるいはサブルーチンによる処理を含んでもよい。
【産業上の利用可能性】
【００７８】
本発明は、映像ストリームを複数の記憶媒体に跨って記憶することが可能な映像記憶装置および映像記憶制御方法に利用することができる。
【符号の説明】
【００７９】
１００  …映像記憶装置
１３８  …ダイジェスト抽出部
１７０（１７０ａ、１７０ｂ）  …記憶媒体
１８０  …記憶切換部
１８２  …記憶制御部
１８４  …接続判定部
【図１】
0005621645.tif 000002
【図２】
0005621645.tif 000003
【図３】
0005621645.tif 000004
【図４】
0005621645.tif 000005
【図５】
0005621645.tif 000006